(57)【要約】【課題】転落防止用の手摺の設置および撤去の作業性を向上させることにある。【解決手段】建築中の建築物の各階には、上下方向に貫通する開口部１２がそれぞれ対応して形成されており、建築作業に使用される建築用資材を、作業が終了した作業完了階から当該作業完了階の上側階に搬出するために、作業完了階の開口部１２には作業台１０が設置される。作業完了階の下側階には、作業台１０に連結された下側手摺ユニット３０が設けられており、この下側手摺ユニット３０は、開口部１２に装着される拡張位置と、開口部１２よりも小型の折り畳み位置とに伸縮自在である。【選択図】図１
2009270355.tif 000002
【特許請求の範囲】
【請求項１】
建築用資材が取り外された作業完了階の開口部から前記建築用資材を上側階に搬出する際に使用され、前記上側階の建築作業の進行に伴って上側階に順次移し替えられる盛り替え式資材搬出作業装置であって、
前記開口部よりも小型の作業台本体、および当該作業台本体に進退移動自在に装着され前記作業台本体に収容される収容位置と前記作業完了階の床面に突出して当該床面に支持される突出位置とに移動する摺動部材を備えた作業台と、
前記作業台本体に連結され、前記作業完了階の下側階の開口部に装着される拡張位置と前記開口部よりも小型の折り畳み位置とに伸縮自在の下側手摺ユニットと、
前記作業完了階から前記上側階への前記建築用資材の搬出が終了した後に、前記摺動部材が前記作業台本体に収容された前記作業台と折り畳み位置に収縮された前記下側手摺ユニットとを前記上側階に上昇移動させる昇降機とを有することを特徴とする盛り替え式資材搬出作業装置。
【請求項２】
請求項１記載の盛り替え式資材搬出作業装置において、前記作業台本体に前記開口部を覆う拡張位置と前記作業台本体に向けて折り畳まれる折り畳み位置とに伸縮自在な作業台手摺を設け、前記作業台と前記下側手摺ユニットとを上昇移動させる際に前記作業台手摺を前記折り畳み位置に移動することを特徴とする盛り替え式資材搬出作業装置。
【請求項３】
請求項１または２記載の盛り替え式資材搬出作業装置において、前記作業台と前記下側手摺ユニットとを、前記下側階の開口部が覆われた状態のもとで、上昇移動させることを特徴とする盛り替え式資材搬出作業装置。
【請求項４】
建築用資材が取り外された作業完了階の開口部から前記建築用資材を上側階に搬出する際に使用され、前記作業完了階の下側階の開口部に装着される拡張位置と前記開口部よりも小型の折り畳み位置とに伸縮自在の下側手摺ユニットが連結され、前記上側階の建築作業の進行に伴って上側階に順次移し替えられる盛り替え式資材搬出作業装置であって、
前記作業完了階の開口部よりも小型の作業台本体、および当該作業台本体の両端部に進退移動自在に装着され前記作業台本体に収容される収容位置と前記作業完了階の床面に突出して当該床面に支持される突出位置とに移動する摺動部材を備えた作業台とを有し、
前記作業完了階から前記上側階への前記建築用資材の搬出が終了した後に、前記摺動部材が前記作業台本体に収容された前記作業台を、折り畳み位置に収縮された前記下側手摺ユニットとともに前記上側階に上昇移動させたことを特徴とする盛り替え式資材搬出作業装置。
【請求項５】
請求項４記載の盛り替え式資材搬出作業装置において、前記作業本体に前記開口部を覆う拡張位置と前記作業台本体に向けて折り畳まれる折り畳み位置とに移動自在な作業台手摺を設け、前記作業台を前記下側手摺ユニットとともに上昇移動させる際に前記作業台手摺を前記折り畳み位置に移動することを特徴とする盛り替え式資材搬出作業装置。
【請求項６】
建築用資材が取り外された作業完了階の開口部から前記建築用資材を上側階に搬出する際に使用され、前記開口部よりも小型の作業台本体および当該作業台本体の両端部に進退移動自在に装着され前記作業台本体に収容される収容位置と前記作業完了階の床面に突出して当該床面に支持される突出位置とに移動する摺動部材を備えた作業台が連結され、前記上側階の建築作業の進行に伴って上側階に順次移し替えられる盛り替え式資材搬出作業装置であって、
前記作業台本体に連結され、前記作業完了階の下側階の開口部に装着される拡張位置と前記開口部よりも小型の折り畳み位置とに伸縮自在の下側手摺ユニットを有し、
前記作業完了階から前記上側階への前記建築用資材の搬出が終了した後に、折り畳み位置に収縮された前記下側手摺ユニットを、前記摺動部材が前記作業台本体に収容された前記作業台とともに前記上側階に上昇移動させたことを特徴とする盛り替え式資材搬出作業装置。
【請求項７】
建築用資材が取り外された作業完了階の開口部から前記建築用資材を上側階に搬出する際に使用され、前記上側階の建築作業の進行に伴って上側階に順次移し替えられる作業台であって、
前記開口部よりも小型の作業台本体と、
前記作業台本体に進退移動自在に装着され、前記作業台本体に収容される収容位置と前記作業完了階の床面に突出して当該床面に支持される突出位置とに移動する摺動部材と、
前記作業台本体に設けられ、前記開口部を覆う拡張位置と前記作業台本体に向けて折り畳まれる折り畳み位置とに伸縮自在な作業台手摺とを有し、
前記作業完了階から前記上側階への前記建築用資材の搬出が終了した後に、前記摺動部材が前記作業台本体内に収容されるとともに前記作業台手摺が折り畳み位置に移動された状態のもとで、上側階に上昇移動されることを特徴とする作業台。
【発明の詳細な説明】
【技術分野】
【０００１】
本発明は、建築用資材が取り外された作業完了階の開口部から建築用資材を上側階に搬出する際に使用される盛り替え式資材搬出作業装置に関する。
【背景技術】
【０００２】
例えば、中層階や高層階の複数階の建築物を建築する際には、基盤に垂直に複数の支柱を構築するとともに支柱間に水平の梁材を構築し、梁材間には床材が構築される。床材が梁材間に構築されると、支柱は順次上方に組み上げられて所定階の建築物が建築される。各階の床が構築されると、天井や壁面等の内装作業が行われ、内装作業は下側階から上側階に順次行われることになる。内装作業を行うには、建築物に据え付けられるパネル材等の建築材料のみならず、コンクリート打ちを行うための型枠やこれを支持する支持棒材等の仮設用の建築用資材が必要となる。
【０００３】
建築材料を建築物に搬入するために、特許文献１に記載されるように、各階の床材の所定位置には開口部が設けられており、開口部に荷取りステージと言われる作業台を開口部を覆うように配置した状態のもとで、クレーンにより作業台に建築材料を降ろすようにしている。作業台は各階に対する建築材料の搬入作業が終了すると、順次クレーンにより上側階の開口部に移し替えられることになる。
【特許文献１】特開平１１−１５９１４９号公報
【発明の開示】
【発明が解決しようとする課題】
【０００４】
一方、型枠や支持棒材等の仮設用の建築用資材は、各階の内装作業が終了すると、上側階に搬出することにより上側階の内装作業等に使用することができる。建築用資材を上側階に搬出するには、開口部に配置された作業台にまで建築用資材を搬送した後にクレーン等により上側階に搬出される。このように建築用資材を作業台を利用して上側階に搬出する場合には、建築用資材の搬出が終了した後に作業台は上側階の開口部に移し替えられることになる。作業台が上側階に移動されると、建築用資材が取り外された作業完了階の開口部からは作業台が撤去されるので、その階での他の建築作業の安全を図るために、開口部の周囲には予め手摺が取り付けられることになる。
【０００５】
各階の開口部が床材を敷設する箇所に形成された場合には、作業台を用いた建築材料や建築用資材の搬送作業が終了すると、開口部は閉塞されて床材が建設されることになる。これに対し、エレベータシャフトが建設される部位に開口部が設けられる場合には、エレベータ設備の建設が終了するまでの間は、作業の安全を図るために、開口部に撤去可能な蓋材を覆うようにしたり、開口部周辺に手摺が取り付けられることになる。
【０００６】
しかしながら、開口部の周囲に手摺を設けるには、開口部の周囲に手摺を設置するためのサヤ管を埋設したり、サヤ管をアンカーボルトで固定したりしなければならず、手摺の設置および撤去作業が煩雑である。
【０００７】
本発明の目的は、転落防止用の手摺の設置および撤去の作業性を向上させることにある。
【課題を解決するための手段】
【０００８】
本発明の盛り替え式資材搬出作業装置は、建築用資材が取り外された作業完了階の開口部から前記建築用資材を上側階に搬出する際に使用され、前記上側階の建築作業の進行に伴って上側階に順次移し替えられる盛り替え式資材搬出作業装置であって、前記開口部よりも小型の作業台本体、および当該作業台本体に進退移動自在に装着され前記作業台本体に収容される収容位置と前記作業完了階の床面に突出して当該床面に支持される突出位置とに移動する摺動部材を備えた作業台と、前記作業台本体に連結され、前記作業完了階の下側階の開口部に装着される拡張位置と前記開口部よりも小型の折り畳み位置とに伸縮自在の下側手摺ユニットと、前記作業完了階から前記上側階への前記建築用資材の搬出が終了した後に、前記摺動部材が前記作業台本体に収容された前記作業台と折り畳み位置に収縮された前記下側手摺ユニットとを前記上側階に上昇移動させる昇降機とを有することを特徴とする。
【０００９】
本発明の盛り替え式資材搬出作業装置は、前記作業台本体に前記開口部を覆う拡張位置と前記作業台本体に向けて折り畳まれる折り畳み位置とに伸縮自在な作業台手摺を設け、前記作業台と前記下側手摺ユニットとを上昇移動させる際に前記作業台手摺を前記折り畳み位置に移動することを特徴とする。本発明の盛り替え式資材搬出作業装置は、前記作業台と前記下側手摺ユニットとを、前記下側階の開口部が覆われた状態のもとで、上昇移動させることを特徴とする。
【００１０】
本発明の盛り替え式資材搬出作業装置は、建築用資材が取り外された作業完了階の開口部から前記建築用資材を上側階に搬出する際に使用され、前記作業完了階の下側階の開口部に装着される拡張位置と前記開口部よりも小型の折り畳み位置とに伸縮自在の下側手摺ユニットが連結され、前記上側階の建築作業の進行に伴って上側階に順次移し替えられる盛り替え式資材搬出作業装置であって、前記作業完了階の開口部よりも小型の作業台本体、および当該作業台本体の両端部に進退移動自在に装着され前記作業台本体に収容される収容位置と前記作業完了階の床面に突出して当該床面に支持される突出位置とに移動する摺動部材を備えた作業台とを有し、前記作業完了階から前記上側階への前記建築用資材の搬出が終了した後に、前記摺動部材が前記作業台本体に収容された前記作業台を、折り畳み位置に収縮された前記下側手摺ユニットとともに前記上側階に上昇移動させたことを特徴とする。
【００１１】
本発明の盛り替え式資材搬出作業装置は、前記作業本体に前記開口部を覆う拡張位置と前記作業台本体に向けて折り畳まれる折り畳み位置とに移動自在な作業台手摺を設け、前記作業台を前記下側手摺ユニットとともに上昇移動させる際に前記作業台手摺を前記折り畳み位置に移動することを特徴とする。
【００１２】
本発明の盛り替え式資材搬出作業装置は、建築用資材が取り外された作業完了階の開口部から前記建築用資材を上側階に搬出する際に使用され、前記開口部よりも小型の作業台本体および当該作業台本体の両端部に進退移動自在に装着され前記作業台本体に収容される収容位置と前記作業完了階の床面に突出して当該床面に支持される突出位置とに移動する摺動部材を備えた作業台が連結され、前記上側階の建築作業の進行に伴って上側階に順次移し替えられる盛り替え式資材搬出作業装置であって、前記作業台本体に連結され、前記作業完了階の下側階の開口部に装着される拡張位置と前記開口部よりも小型の折り畳み位置とに伸縮自在の下側手摺ユニットを有し、前記作業完了階から前記上側階への前記建築用資材の搬出が終了した後に、折り畳み位置に収縮された前記下側手摺ユニットを、前記摺動部材が前記作業台本体に収容された前記作業台とともに前記上側階に上昇移動させたことを特徴とする。
【００１３】
本発明の作業台は、建築用資材が取り外された作業完了階の開口部から前記建築用資材を上側階に搬出する際に使用され、前記上側階の建築作業の進行に伴って上側階に順次移し替えられる作業台であって、前記開口部よりも小型の作業台本体と、前記作業台本体に進退移動自在に装着され、前記作業台本体に収容される収容位置と前記作業完了階の床面に突出して当該床面に支持される突出位置とに移動する摺動部材と、前記作業台本体に設けられ、前記開口部を覆う拡張位置と前記作業台本体に向けて折り畳まれる折り畳み位置とに伸縮自在な作業台手摺とを有し、前記作業完了階から前記上側階への前記建築用資材の搬出が終了した後に、前記摺動部材が前記作業台本体内に収容されるとともに前記作業台手摺が折り畳み位置に移動された状態のもとで、上側階に上昇移動されることを特徴とする。
【発明の効果】
【００１４】
本発明によれば、作業台本体に連結され、作業完了階の下側階の開口部に装着される拡張位置と開口部よりも小型の折り畳み位置とに伸縮自在な下側手摺ユニットを設けたので、下側手摺ユニットにより下側階の開口部が閉塞されて、作業者が下側階において安全に作業を行うことができる。また、下側手摺ユニットを拡張位置と折り畳み位置とに伸縮することで下側階の開口部を覆う手摺の設置および撤去ができるので、開口部の周辺部に別個に手摺を設置する場合に比して、手摺の設置および撤去作業が容易となる。
【００１５】
本発明によれば、作業完了階の開口部を覆う拡張位置と作業台本体に向けて折り畳まれる折り畳み位置とに伸縮自在な作業台手摺を作業台に設けたので、作業完了階において、上記下側手摺ユニットを設ける場合と同様の効果を奏することができる。
【発明を実施するための最良の形態】
【００１６】
以下、本発明の実施の形態を図面に基づいて詳細に説明する。図１は本発明の一実施の形態である盛り替え式資材搬出作業装置の斜視図であり、図２は設置時における作業台の一部拡大斜視図であり、図３は移動時における作業台の一部拡大斜視図である。
【００１７】
この盛り替え式資材搬出作業装置は、複数階の建築物の建築作業において、例えば、コンクリート成形型枠を支える支柱などの建築用資材を、コンクリート成形作業が終了した作業完了階から、その１階上のコンクリート成形作業が未着工である上側階へ搬出する際に用いられる。盛り替え式資材搬出作業装置は、作業完了階に設置される作業台１０と、この作業台１０を上下動させる昇降機としてのクレーン（図示せず）とを有しており、建築作業の進行に伴って作業台１０がクレーンにより順次上の階に移し替え（盛り替え）られて、作業台１０が設置された階（作業完了階）からその上の階（上側階）へ建築用資材の搬出が行われる。
【００１８】
建築中の建築物の各階の床面１１には、図１に示すように、略同一の矩形状となった開口部１２がそれぞれ対応して形成されており、各階の開口部１２が上下方向に相互に対向している。開口部１２は、相互に対向する一組の長辺１２ａと、長辺１２ａに垂直な相互に対向する一組の短辺１２ｂとを有しており、上下方向に貫通する各開口部１２を介して、各階が上下方向に連通されている。
【００１９】
盛り替え式資材搬出作業装置の作業台１０は、クレーンにより各開口部１２を介して各階に上下動自在であり、クレーンに連結された４本のチェーン１３が取り付けられる作業台本体１４を有している。作業台本体１４は、床面１１に平行に吊り下げられる略矩形状の床材１５を備えており、床材１５の４隅にはチェーン１３を取り付けるための取付部１３ａが上方に突出して設けられている。作業完了階の開口部１２から上側階に搬出される建築用資材は、作業者により作業完了階から取り外されて床材１５上に運搬された後、クレーン等に括り付けられて上側階に搬出される。
【００２０】
床材１５は、開口部１２の長辺１２ａと平行となった相互に対向する一組の長辺１５ａと、開口部１２の短辺１２ｂに平行となった相互に対向する一組の短辺１５ｂとを有している。各長辺１５ａおよび各短辺１５ｂは、それぞれ対応する長辺１２ａおよび短辺１２ｂよりも短寸に形成されており、床材１５は開口部１２を通過可能な形状となっている。ただし、床材１５の各長辺１５ａを、開口部１２の短辺１２ｂに平行かつ短辺１２ｂよりも短寸に形成するとともに、床材１５の各短辺１５ｂを、開口部１２の長辺１２ａに平行かつ長辺１２ａよりも短寸に形成するようにしても良い。
【００２１】
作業台１０は、建築用資材を作業完了階から上側階へ搬出する際には、図１に示すように作業完了階の開口部１２の上側に配置される。床材１５の各短辺１５ｂのそれぞれの両端部つまり床材１５の４隅には、長辺１５ａと平行に進退移動自在な４つの摺動部材１６が設けられている。作業台１０を作業完了階に設置する場合には、図１および図２に示すように、各摺動部材１６が床面１１に向けて突出され、各摺動部材１６により作業台１０は作業完了階の床面１１上に支持される（突出位置）。一方、作業台１０を上の階に移動させる場合には、図３に示すように、各摺動部材１６が床材１５内に収容され、作業台１０が開口部１２内を通過可能となる（収容位置）。
【００２２】
作業台本体１４には、床材１５の一方の短辺１５ｂ側つまり図１において右側の短辺１５ｂ側に、作業台１０が作業完了階に設置された際に作業者が安全に床材１５に乗り上げることができるように、床材１５と作業完了階の床面１１とを橋渡しする渡り板１７がヒンジにより取り付けられている。また、作業台本体１４には、床材１５の一組の長辺１５ａ側と他方の短辺１５ｂ側とに、上方に延びる手摺１８ａおよび手摺１８ｂがそれぞれ設けられるとともに、長辺１５ａ側の各手摺１８ａに、一方の短辺１５ｂ側に摺動部材１６とともに進退移動する手摺１９が設けられており、作業者が建築用資材を床材１５上に運搬する際の安全が確保されている。
【００２３】
作業台１０を作業完了階に設置する場合には、図１および図２に示すように、渡り板１７が床材１５と作業完了階の床面１１とを橋渡しするように配置され、各手摺１９が摺動部材１６とともに床面１１に向けて突出される。一方、作業台１０を上の階に移動させる場合には、図３に示すように、渡し板１７が床材１５の上側に重なるように配置され、各手摺１９が手摺１８ａ内に収容されて、作業台１０が開口部１２内を通過可能となる。
【００２４】
なお、手摺１９は着脱式としても良く、その場合には、摺動部材１６が突出位置のもとで床面１１に向けて突出するように手摺１９を取り付け、摺動部材１６が収容位置のもとで手摺１９を取り外すようにする。また、他方の短辺１５ｂ側に手摺１８ｂの代わりに渡り板１７を設け、作業台１０の両側から作業者が床材１５に乗り上げられるようにしても良い。
【００２５】
作業台本体１４には、各手摺１８ａの外側（床面１１側）に作業台手摺２２が設けられており、この作業台手摺２２は、作業台１０が作業完了階に設置された状態のもとで、床材１５の各長辺１５ａと開口部１２の各長辺１２ａとの間の隙間２０を覆う拡張位置と、作業台本体１４に向けて折り畳まれる折り畳み位置とに伸縮自在となっている。
【００２６】
図２に示すように、各作業台手摺２２は、手摺１８ａと平行に形成された手摺枠体２３を有している。この手摺枠体２３は、手摺１８ａと略同寸法に形成された支持部２３ａと、支持部２３ａの両端部に摺動自在に取り付けられた摺動部２３ｂとを備えており、図１に示すように、各摺動部２３ｂが支持部２３ａから突出されると、手摺枠体２３は開口部１２の長辺１２ａと略同寸法となる。手摺枠体２３の支持部２３ａの両端部には、作業台本体１４側にヒンジにより回動ピース２４の一端が取り付けられ、一方、手摺１８ａの両端部には、外側（手摺枠体２３側）にヒンジにより回動ピース２５の一端が取り付けられており、各回動ピース２４，２５のそれぞれの他端部が回動自在にピン結合されている。
【００２７】
作業台１０を作業完了階に設置する場合には、図１および図２に示すように、各回動ピース２４，２５が手摺１８ａに略垂直となるように回動されて手摺枠体２３が床面１１に向けて突出されるとともに、各摺動部２３ｂが支持部２３ａの両端部から突出され、開口部１２の隙間２０が作業台手摺２２により覆われる（拡張位置）。一方、作業台１０を上の階に移動させる場合には、図３に示すように、各回動ピース２４，２５が手摺１８ａと手摺枠体２３との間に折り畳まれるように回動されるとともに、各摺動部２３ｂが支持部２３ａ内に収容され、作業台手摺２２が折り畳まれて作業台１０が開口部１２内を通過可能となる（折り畳み位置）。
【００２８】
このように、作業台本体１４に開口部１２の隙間２０を覆う拡張位置と作業台本体１４に向けて折り畳まれる折り畳み位置とに伸縮自在な作業台手摺２２を設けたので、作業台手摺２２により開口部１２の隙間２０が覆われて、作業者が作業完了階において安全に作業を行うことができる。また、作業台手摺２２を拡張位置と折り畳み位置とに伸縮することで開口部１２の隙間２０を覆う手摺の設置および撤去ができるので、開口部１２の隙間２０の周辺部に別個に手摺を設置する場合に比して、手摺の設置および撤去作業が容易となる。なお、作業台手摺２２を短辺１５ｂ側の手摺１８ｂにも設けるようにしても良い。また、作業台本体１４の長辺１５ａ側に摺動部材１６を設け、短辺１５ｂ側に作業台手摺２２を設けるようにしても良いことはもちろんである。
【００２９】
図４は図１に示す下側手摺ユニットの一部拡大斜視図である。盛り替え式資材搬出作業装置は、作業台１０が作業完了階に設置された状態のもとで、作業完了階よりも１階下の下側階に配置される下側手摺ユニット３０を有しており、この下側手摺ユニット３０は、下側階の開口部１２に装着される拡張位置と、開口部１２よりも小型つまり開口部１２内を通過可能な形状となる折り畳み位置とに伸縮自在となっている。下側階では、下側手摺ユニット３０が設置された状態のもとで、開口部１２に床材を敷設するために開口部１２を閉塞したり、開口部１２にエレベータシャフトを建設するために開口部１２を一時的に閉塞したりする作業が行われる。
【００３０】
下側手摺ユニット３０は略矩形状の枠体により形成されており、作業台１０に連結された４本のチェーン３１が取り付けられる二対のポール３２ａ，３２ｂが、下側手摺ユニット３０の４隅に設けられている。チェーン３１は長さ調節が可能となっており、作業台本体１４の床材１５の４隅には、チェーン３１を取り付けるための取付部（図５中、取付部３１ａ）が下方に突出して設けられている。
【００３１】
図１および図４に示すように、対角に位置する各固定用ポール３２ａには、開口部１２の長辺１２ａと平行に延びる手摺枠体３３の一端が固定されるとともに、開口部１２の短辺１２ｂと平行に延びる手摺枠体３４の一端が固定されている。各手摺枠体３３，３４は、固定用ポール３２ａに一端が固定される支持部３３ａ，３４ａと、これの他端部に摺動自在に取り付けられる摺動部３３ｂ，３４ｂとを備えており、摺動部３３ｂ，３４ｂの他端が対角に位置する各連結用ポール３２ｂにそれぞれ着脱自在に取り付けられている。また、各ポール３２ａ，３２ｂには支持脚３５が取り付けられており、下側手摺ユニット３０を下側階に設置する際には、各支持脚３５により各手摺枠体３３，３４が床面１１上に支持される。各支持脚３５は各ポール３２ａ，３２ｂに対して上下動自在であり、床面１１から各手摺枠体３３，３４までの高さを調節可能となっている。
【００３２】
なお、各手摺枠体３３，３４は、下側手摺ユニット３０の組立時には、図１に示すように相互にほぼ９０°をなして固定用ポール３２ａに固定されるようになっており、下側手摺ユニット３０の解体時には、他端が連結用ポール３２ｂから取り外されて相互に重なるように折り畳まれ、運搬や保管が容易に行えるようになっている。
【００３３】
各摺動部３３ｂ，３４ｂは、図４中矢印で示すように、各支持部３３ａ，３４ａに対して摺動自在に取り付けられている。下側手摺ユニット３０を下側階に設置する場合には、図１に示すように、各手摺枠体３３，３４がそれぞれ対応する長辺１２ａおよび短辺１２ｂよりも長寸となるように各摺動部３３ｂ，３４ｂが突出されるとともに、各手摺枠体３３、３４が各支持脚３５により下側階の床面１１上に支持される（拡張位置）。一方、下側手摺ユニット３０を上の階へ移動させる場合には、各手摺枠体３３，３４がそれぞれ対応する長辺１２ａおよび短辺１２ｂよりも短寸となるように各摺動部３３ｂ，３４ｂが各支持部３３ａ，３４ａ内に収容され、下側手摺ユニット３０が開口部１２内を通過可能となる（折り畳み位置）。
【００３４】
各手摺枠体３３，３４には、各ポール３２ａ，３２ｂから略等間隔の位置に防振用ポール３６が設けられている。この防振用ポール３６は、各手摺枠体３３，３４からなる略矩形状の枠体の内側に配置され、支持脚３５よりも長寸な棒形状となっている。各防振用ポール３６は、下側手摺ユニット３０が拡張位置のもとで、下側階の開口部１２の内面に当接され、下側手摺ユニット３０の揺れが防止される。
【００３５】
このように、作業台本体１４に連結され、下側階の開口部１２に装着される拡張位置と開口部１２よりも小型の折り畳み位置とに伸縮自在な下側手摺ユニット３０を設けたので、下側手摺ユニット３０により下側階の開口部１２が閉塞されて、作業者が下側階において安全に作業を行うことができる。また、下側手摺ユニット３０を拡張位置と折り畳み位置とに伸縮することで下側階の開口部１２を覆う手摺の設置および撤去ができるので、開口部１２の周辺部に別個に手摺を設置する場合に比して、手摺の設置および撤去作業が容易となる。
【００３６】
次に、盛り替え式資材搬出作業装置の盛り替え操作について説明する。図５は設置時における資材搬出作業装置の概略図であり、図６は移動時における資材搬出作業装置の概略図である。
【００３７】
図５に示すように、作業完了階（床面１１ｂ）から上側階（床面１１ｃ）へ建築用資材を搬出する際には、作業完了階に作業台１０が設置されるとともに、上側階に開口部１２を覆う手摺３８が設置される。作業台１０は、図１および図２に示すように、各摺動部材１６により作業完了階の床面１１ｂ上に支持されており、各手摺１９および渡り板１７が床面１１ｂに向けて突出されるとともに各作業台手摺２２が拡張位置に移動され、作業台手摺２２により開口部１２の隙間２０が覆われて作業者が作業完了階において安全に作業を行えるようになっている。この状態のもとで、作業完了階から取り外された建築用資材が床材１５上に運搬されてクレーンにより上側階に搬出されたり、作業完了階に据え付けられる建築材料がクレーンにより上方から床材１５上に搬入されて作業完了階に運搬される。
【００３８】
また、下側階（床面１１ａ）の開口部１２には、作業台１０に連結された下側手摺ユニット３０が設置される。下側手摺ユニット３０は、図１に示すように、各手摺枠体３３，３４がそれぞれ対応する長辺１２ａおよび短辺１２ｂよりも長寸となるように各摺動部３３ｂ，３４ｂが突出されるとともに、各支持脚３５により各手摺枠体３３，３４が下側階の床面１１ａ上に支持され、下側手摺ユニット３０により開口部１２が覆われて作業者が下側階において安全に作業を行えるようになっている。なお、この下側手摺ユニット３０は、防振用ポール３６が開口部１２の内面に当接することで、揺れが防止されている。この状態のもとで、開口部１２に床面（図６中、床面３９）を形成するために開口部１２を閉塞したり、開口部１２にエレベータシャフトを建設するために開口部１２を一時的に閉塞したりする作業が行われる。
【００３９】
作業完了階（床面１１ｂ）において建築用資材および建設材料の搬送作業が終了するとともに、下側階（床面１１ａ）において開口部１２の閉塞作業が終了すると、図６に示すように、盛り替え式資材搬出作業装置は上の階に移動（盛り替え）される。盛り替え式資材搬出作業装置を上の階に移動させる際には、作業台１０および下側手摺ユニット３０が開口部１２内を通過可能な形状に収縮されるとともに、上側階（床面１１ｃ）の手摺３８が撤去される。作業台１０は、図３に示すように、各摺動部材１６、各手摺１９、および渡り板１７が作業台本体１４内に収容されるとともに、各作業台手摺２２が作業台本体１４に向けて折り畳まれ、開口部１２内を通過可能となる。また、下側手摺ユニット３０は、各手摺枠体３３，３４がそれぞれ対応する長辺１２ａおよび短辺１２ｂよりも短寸となるように、各摺動部３３ｂ，３４ｂが各支持部３３ａ，３４ａ内に収容され、開口部１２内を通過可能となる。この状態のもとで、クレーンにより作業台１０および下側手摺ユニット３０が上の階に移動され、同様に、作業完了階（床面１１ｃ）から上側階（床面１１ｄ）への建設用資材の搬出作業や、作業完了階への建築材料の搬入作業が行われるとともに、下側階（床面１１ｂ）において開口部１２の閉塞作業が行われる。このように、盛り替え式資材搬出作業装置は、建築作業の進行に伴って順次上の階へ移動されるようになっている。
【００４０】
なお、作業完了階において建築用資材および建築材料の搬送作業が終了した時点で、下側階において開口部１２の閉塞作業が終了していない場合でも、盛り替え式資材搬出作業装置を上の階に移動させるようにしても良い。その場合には、開口部１２の閉塞作業が終了していない各階に位置させて複数の下側手摺ユニット３０を作業台１０から吊り下げることとなる。また、上側階に設置される手摺３８としては、下側手摺ユニット３０を用いるようにしても良い。
【００４１】
次に、下側手摺ユニットの変形例について説明する。図７は下側手摺ユニットの変形例を示す斜視図であり、図８は図７に示す下側手摺ユニットの一部切り欠き拡大斜視図である。この下側手摺ユニット４０は、図１に示す下側手摺ユニット３０と同様に、略矩形状の枠体により形成されており、作業台１０の各取付部３１ａに取り付けられる４本の支柱４１ａ〜４１ｄが設けられている。
【００４２】
図７に示すように、下側手摺ユニット４０は、開口部１２の長辺１２ａに平行な２本のスライド部材４２と、開口部１２の短辺１２ｂに平行な２本のスライド部材４３とを有している。各スライド部材４２は、一端部が一方の短辺１２ｂ側の各支柱４１ａ，４１ｂにそれぞれ固定されるとともに、他端部が他方の短辺１２ｂ側の各支柱４１ｃ，４１ｄにそれぞれ固定されている。同様に、各スライド部材４３は、一端部が一方の長辺１２ａ側の各支柱４１ａ，４１ｃにそれぞれ固定されるとともに、他端部が他方の長辺１２ｂ側の各支柱４１ｂ，４１ｄにそれぞれ固定されている。各スライド部材４２，４３は、図８に示すように、両端が各支柱４１ａ〜４１ｄに固定される支持部４２ａ，４３ａと、支持部４２ａ，４３ａの両端部に摺動自在に取り付けられる摺動部４２ｂ，４３ｂとを備えており、各摺動部４２ｂ，４３ｂの先端には固定用ポール４４，４５がそれぞれ取り付けられている。
【００４３】
一方のスライド部材４３の両端に取り付けられた各固定用ポール４４には、開口部１２の長辺１２ａと平行に延びる手摺枠体４６の一端部がそれぞれ固定されており、各手摺枠体４６の他端部が、他方のスライド部材４３の両端に取り付けられた各固定用ポール４４にそれぞれ固定されている。同様に、一方のスライド部材４２の両端に取り付けられた各固定用ポール４５には、開口部１２の短辺１２ｂと平行に延びる手摺枠体４７の一端部がそれぞれ固定されており、各手摺枠体４７の他端部が、他方のスライド部材４２の両端に取り付けられた各固定用ポール４５にそれぞれ固定されている。各手摺枠体４６，４７は両端が各固定用ポール４４，４５に固定される支持部４６ａ，４７ａと、支持部４６ａ，４７ａの両端部に摺動自在に取り付けられる摺動部４６ｂ，４７ｂとを備えている。
【００４４】
各摺動部４２ｂ，４３ｂ，４６ｂ，４７ｂは、図８中矢印で示すように、各支持部４２ａ，４３ａ，４６ａ，４７ａに対して摺動自在に取り付けられている。下側手摺ユニット４０を下側階に設置する場合には、図７に示すように、各スライド部材４２，４３および各手摺枠体４６，４７がそれぞれ対応する長辺１２ａおよび短辺１２ｂよりも長寸となるように、各摺動部４２ｂ，４３ｂ，４６ｂ，４７ｂが突出される（拡張位置）。一方、下側手摺ユニット４０を上昇移動させる場合には、各スライド部材４２，４３および各手摺枠体４６，４７がそれぞれ対応する長辺１２ａおよび短辺１２ｂよりも短寸となるように、各摺動部４２ｂ，４３ｂ，４６ｂ，４７ｂが各支持部４２ａ，４３ａ，４６ａ，４７ａ内に収容され、下側手摺ユニット４０が開口部１２内を通過可能となる（折り畳み位置）。
【００４５】
各支柱４１ａ〜４１ｄには、各スライド部材４２，４３の下側にこれらに対応させて、開口部１２の長辺１２ａに平行な２本の防振用部材４８と、開口部１２の短辺１２ｂに平行な２本の防振用部材４９とが設けられている。各防振用部材４８，４９は、各支柱４１ａ〜４１ｄに固定される支持部４８ａ，４９ａと、支持部４８ａ，４９ａの両端部に摺動自在な摺動部４８ｂ，４９ｂとを備えており、各摺動部４８ｂ，４９ｂの先端には各防振用部材４８，４９に垂直な当接板４８ｃ、４９ｃが取り付けられている。
【００４６】
各摺動部４８ｂ，４９ｂは、図８中矢印で示すように、各支持部４８ａ，４９ａに対して摺動自在に取り付けられている。各防振用部材４８，４９は、図７に示すように下側手摺ユニット４０が拡張位置のもとで、各当接板４８ｃ，４９ｃが下側階の開口部１２の内面に当接するように各摺動部４８ｂ，４９ｂが突出され、下側手摺ユニット４０の揺れが防止される。
【００４７】
この下側手摺ユニット４０を作業台１０に連結することで、上記の下側手摺ユニット３０と同様の効果を奏することができる。また、この下側手摺ユニット４０においては、上記の下側手摺ユニット３０に比して摺動する箇所を多くし、伸縮の自由度を向上させたので、例えば、開口部１２に隣接して建設物の柱が形成されている場合においても容易に設置することができ、様々な設置環境に対応することができる。なお、固定用ポール４４，４５は各スライド部材４２，４３の摺動部４２ｂ，４３ｂに上下動自在に取り付けられており、固定用ポール４４，４５を各摺動部４２ｂ，４３ｂに対して上下動させることにより、各手摺枠体４７，４８の床面１１からの高さを調整可能となっている。
【００４８】
図９は作業台手摺の変形例を示す斜視図である。この作業台手摺２２の手摺枠体２３は、支持部２３ａが手摺１８ａよりも短寸に形成されており、各摺動部２３ｂが支持部２３ａから突出されると、手摺枠体２３は開口部１２の長辺１２ａと略同寸法となる。支持部２３ａの両端部には、手摺１８ａ側に連結ピース５０を介して回動自在にピン結合された回動ピース２４の一端が取り付けられ、一方、手摺１８ａの両端側には、手摺枠体２３側に連結ピース５１を介して回動自在にピン結合された回動ピース２５の一端が取り付けられており、各回動ピース２４，２５のそれぞれの他端部が回動自在にピン結合されている。
【００４９】
各回動ピース２４，２５の結合部の上側には、摺動ピース５２の一端が取り付けられており、摺動ピース５２の他端部が支持部２３ａに摺動自在に取り付けられている。摺動ピース５２の他端部は、回動ピース２４，２５が回動されて作業台手摺２２が伸縮されると支持部２３ａに沿って摺動移動されるようになっており、作業台手摺２２が拡張位置のもとで各摺動ピース５２は手摺１８ａにほぼ垂直となるように位置され、作業台手摺２２が折り畳み位置のもとで各摺動ピース５２の他端部が相互に当接するように位置される。これらの位置で各摺動ピース５２を固定することにより、作業台手摺２２を拡張位置または折り畳み位置で確実に固定することができる。また、支持部２３ａの両端部の下側には支持脚５３が設けられており、作業台手摺２２は拡張位置のもとで各支持脚５３により床面１１上に支持される。
【００５０】
なお、図９には作業台本体１４の一方の長辺１５ａ側に設けられる作業台手摺２２のみを示したが、他方の長辺１５ａ側にも同様の作業台手摺２２が設けられることはもちろんである。また、この作業台手摺２２を短辺１５ｂ側に設けるようにしても良い。
【００５１】
本発明は上記実施形態限定されるものではなく、その要旨を逸脱しない範囲で種々変更可能である。例えば、摺動部材１６を床材１５の一方の短辺１５ｂ側のみに設けるようにし、この摺動部材１６と床材１５の他方の短辺１５ｂ側とにより、作業台１０を床面１１上に支持するようにしても良い。また、各階に形成される開口部１２を正方形状としても良いことはもちろんである。
【図面の簡単な説明】
【００５２】
【図１】本発明の一実施の形態である盛り替え式資材搬出作業装置の斜視図である。
【図２】設置時における作業台の一部拡大斜視図である。
【図３】移動時における作業台の一部拡大斜視図である。
【図４】下側手摺ユニットの一部拡大斜視図である。
【図５】設置時における資材搬出作業装置の概略図である。
【図６】移動時における資材搬出作業装置の概略図である。
【図７】下側手摺ユニットの変形例を示す斜視図である。
【図８】図７に示す下側手摺ユニットの一部切り欠き拡大斜視図である。
【図９】作業台手摺の変形例を示す斜視図である。
【符号の説明】
【００５３】
１０      作業台
１１，１１ａ〜１１ｄ  床面
１２      開口部
１２ａ    長辺
１２ｂ    短辺
１３      チェーン
１３ａ    取付部
１４      作業台本体
１５      床材
１５ａ    長辺
１５ｂ    短辺
１６      摺動部材
１７      渡り板
１８ａ，１８ｂ  手摺
１９      手摺
２０      隙間
２２      作業台手摺
２３      手摺枠体
２３ａ    支持部
２３ｂ    摺動部
２４，２５  回動ピース
３０      下側手摺ユニット
３１      チェーン
３１ａ    取付部
３２ａ    固定用ポール
３２ｂ    連結用ポール
３３      手摺枠体
３３ａ    支持部
３３ｂ    摺動部
３４      手摺枠体
３４ａ    支持部
３４ｂ    摺動部
３５      支持脚
３６      防振用ポール
３８      手摺
３９      床面
４０      下側手摺ユニット
４１ａ〜４１ｄ  支柱
４２      スライド部材
４２ａ    支持部
４２ｂ    摺動部
４３      スライド部材
４３ａ    支持部
４３ｂ    摺動部
４４，４５  固定用ポール
４６      手摺枠体
４６ａ    支持部
４６ｂ    摺動部
４７      手摺枠体
４７ａ    支持部
４７ｂ    摺動部
４８      防振用部材
４８ａ    支持部
４８ｂ    摺動部
４８ｃ    当接板
４９      防振用部材
４９ａ    支持部
４９ｂ    摺動部
４９ｃ    当接板
５０，５１  連結ピース
５２      摺動ピース
５３      支持脚
【図１】
2009270355.tif 000003
【図２】
2009270355.tif 000004
【図３】
2009270355.tif 000005
【図４】
2009270355.tif 000006
【図５】
2009270355.tif 000007
【図６】
2009270355.tif 000008
【図７】
2009270355.tif 000009
【図８】
2009270355.tif 000010
【図９】
2009270355.tif 000011